(57)【要約】【課題】  装置の履歴情報を特定のユーザに限って認めることができるようにする。【解決手段】  履歴管理部９はユーザ名に関連付けた履歴情報を当該装置の機能動作に従って更新して管理する。モード管理部１１は履歴表示させるユーザ名が異なる複数の履歴表示モードを管理する。入力部１３は履歴表示モードを選択する。制御部１７は、入力部１３選択入力される履歴表示モードに基づき履歴情報中からそのユーザ名に係る履歴を選択して選択履歴情報データを作成制御する。表示部１３は選択履歴情報データを表示する。【選択図】  図１
2008245189.tif 000002
【特許請求の範囲】
【請求項１】
当該装置の機能動作に従って履歴情報を使用ユーザ名に関連付けて蓄積管理する履歴管理部と、
履歴表示させる対象が異なる複数の履歴表示モードを管理するモード管理部と、
前記履歴表示モードおよび前記ユーザ名の入力を受付ける入力部と、
少なくとも選択履歴情報データを表示する表示部と、
この入力部で入力される前記履歴表示モードに基づき前記履歴情報中から該当する前記対象に係る履歴情報を選択して前記選択履歴情報データを作成制御し、前記表示部を表示制御する制御部と、
を具備することを特徴とする画像形成装置。
【請求項２】
前記モード管理部は、履歴表示させる前記対象を前記履歴情報に係るユーザ名とした前記履歴表示モードを管理する請求項１記載の画像形成装置。
【請求項３】
前記モード管理部は、個別のユーザ名の前記履歴表示モードを管理する請求項２記載の画像形成装置。
【請求項４】
前記モード管理部は、個別のユーザ名および指定された前記ユーザ名の前記履歴表示モードを管理する請求項２記載の画像形成装置。
【請求項５】
前記モード管理部は、前記ユーザ名としてのグループ名の前記履歴表示モードを含めて管理する請求項３又は４記載の画像形成装置。
【請求項６】
前記制御部は、予め設定された認証データに基づき、前記ユーザ名に係る認証を行うとともに、認証が確認されたとき前記選択履歴情報データを表示制御する機能を有する請求項１〜５いずれか１記載の画像形成装置。
【請求項７】
画像形成装置の機能動作に応じて履歴情報を制御する制御用コンピュータに、
前記履歴情報を使用ユーザに関連付けて蓄積管理する履歴管理処理と、
履歴表示させる対象が異なる複数の前記履歴表示モードを管理するモード管理処理と、
前記履歴表示モードおよびユーザ名の入力を受ける入力処理と、
この入力処理で入力された前記履歴表示モードに基づき前記履歴情報中から該当する前記対象に係る前記履歴情報を選択して選択履歴情報データを作成制御する履歴情報データ作成制御処理と、
少なくとも前記選択履歴情報データを表示する表示処理と、
を実行させることを特徴とする画像形成装置の履歴制御プログラム。
【請求項８】
前記モード管理処理は、履歴表示させる前記対象を前記履歴情報に係るユーザ名とした前記履歴表示モードの管理を実行する請求項７記載の画像形成装置の履歴制御プログラム。
【請求項９】
前記モード管理処理は、個別のユーザ名の前記履歴表示モードの管理を実行する請求項８記載の画像形成装置の履歴制御プログラム。
【請求項１０】
前記モード管理処理は、個別のユーザ名および指定された前記ユーザ名の前記履歴表示モードの管理を実行する請求項８記載の画像形成装置の履歴制御プログラム。
【請求項１１】
前記モード管理処理は、前記ユーザ名としてのグループ名の前記履歴表示モードを含めた管理を実行する請求項９又は１０記載の画像形成装置の履歴制御プログラム。
【請求項１２】
前記履歴情報データ作成制御処理は、予め設定された認証データに基づき、前記ユーザ名に係る認証処理を実行して認証が確認されたとき、前記選択履歴情報データの表示制御処理を実行する請求項７〜１１いずれか１記載の画像形成装置の履歴制御プログラム。
【発明の詳細な説明】
【技術分野】
【０００１】
本発明は画像形成装置および画像形成装置の履歴制御プログラムに係り、履歴管理機能を有する例えば複写機や複合機（ＭＦＰ：Multi Function Peripheral）等の画像形成装置およびこれに搭載して好適する履歴制御プログラムに関する。
【背景技術】
【０００２】
近年、複写機や複合機では、ユーザ認証機能を搭載し、操作パネルから例えばユーザ名を入力したユーザが複写機能や通信機能等を使うことが可能になるように構成し、セキュリティや不要な操作防止を確保しようとしている。
【０００３】
例えば、特開２００５−１４２６２２号公報（特許文献１）はこの種のものである。
【０００４】
この特許文献１は、種々の通信データを通信する通信装置であり、選択されたユーザによる通信時に、ユーザ名の入力を要求するとともに記憶した発信履歴情報を検索して選択することで、発信履歴を使用した相手先指定操作を容易にすることが可能であるとともに、通信相手を他人に知られることがなく、セキュリティを確保できるようにしたものである。
【特許文献１】特開２００５−１４２６２２号公報
【発明の開示】
【発明が解決しようとする課題】
【０００５】
しかしながら、上述した特許文献１では、ユーザ名の入力や発信履歴情報の使用によってセキュリティを確保したものであるが、ユーザが操作した結果が使用順に発信履歴情報として保存されてリストとして表示されることになり、１台の複合機等を複数のユーザが共同使用すると、使用したユーザ以外に他のユーザにもその使用履歴情報が参照され易くなり、履歴情報の管理やセキュリティの観点から好ましくない場合がある。
【０００６】
すなわち、複合機の履歴情報の中には、他のユーザには見られたくない情報、例えばＦＡＸ送信の宛先情報等が多く含まれるため、その改善が望まれている。
【０００７】
本発明はそのような課題を解決するためになされたもので、任意の履歴情報、例えば装置を操作するユーザ又は特定のユーザ以外のユーザに係る履歴情報の表示を制限することが容易な画像形成装置および画像形成装置の履歴制御プログラムの提供を目的とする。
【課題を解決するための手段】
【０００８】
そのような課題を解決するために本発明に係る画像形成装置は、当該装置の機能動作に従って履歴情報を使用ユーザ名に関連付けて蓄積管理する履歴管理部と、履歴表示させる対象が異なる複数の履歴表示モードを管理するモード管理部と、その履歴表示モードおよびユーザ名の入力を受付ける入力部と、少なくとも選択履歴情報データを表示する表示部と、その入力部で入力される履歴表示モードに基づき履歴情報中から該当する対象に係る履歴情報を選択してその選択履歴情報データを作成制御するとともに、その表示部を表示制御する制御部とを具備している。
【０００９】
本発明の画像形成装置では、上記モード管理部が、履歴表示させる対象を履歴情報に係るユーザ名とした履歴表示モードを管理する構成も可能である。
【００１０】
本発明の画像形成装置では、上記モード管理部が、個別のユーザ名の履歴表示モードを管理する構成も可能である。
【００１１】
本発明の画像形成装置では、上記モード管理部が、個別のユーザ名および指定されたユーザ名の履歴表示モードを管理する構成も可能である。
【００１２】
本発明の画像形成装置では、上記モード管理部が、ユーザ名としてのグループ名の履歴表示モードを含めて管理する構成も可能である。
【００１３】
本発明の画像形成装置では、上記制御部が、予め設定された認証データに基づき、上記ユーザ名に係る認証を行うとともに、認証が確認されたとき上記選択履歴情報データを表示制御する構成も可能である。
【００１４】
また、本発明に係る履歴制御プログラムは、画像形成装置の機能動作に応じて履歴情報を制御する制御用コンピュータに、その履歴情報を使用ユーザに関連付けて蓄積管理する履歴管理処理と、履歴表示させる対象が異なる複数の履歴表示モードを管理するモード管理処理と、その履歴表示モードおよびユーザ名の入力を受ける入力処理と、この入力処理で入力された履歴表示モードに基づき履歴情報中から該当する対象に係る履歴情報を選択して選択履歴情報データを作成制御する履歴情報データ作成制御処理と、少なくとも選択履歴情報データを表示する表示処理とを実行させるものである。
【００１５】
本発明の履歴制御プログラムでは、上記モード管理処理が、履歴表示させる対象を履歴情報に係るユーザ名とした履歴表示モードの管理を実行する構成も可能である。
【００１６】
本発明の履歴制御プログラムでは、上記モード管理処理が、個別のユーザ名の履歴表示モードの管理を実行する構成も可能である。
【００１７】
本発明の履歴制御プログラムでは、上記モード管理処理が、個別のユーザ名および指定されたユーザ名の履歴表示モードの管理を実行する構成も可能である。
【００１８】
本発明の履歴制御プログラムでは、上記モード管理処理が、ユーザ名としてのグループ名の履歴表示モードを含めた管理を実行する構成も可能である。
【００１９】
本発明の履歴制御プログラムでは、上記履歴情報データ作成制御処理が、予め設定された認証データに基づき、そのユーザ名に係る認証処理を実行して認証が確認されたとき、選択履歴情報データの表示制御処理を実行する構成も可能である。
【発明の効果】
【００２０】
このような本発明に係る画像形成装置では、当該装置の機能動作に従って履歴情報を履歴管理部が使用ユーザ名に関連付けて蓄積管理し、モード管理部が履歴表示させる対象が異なる複数の履歴表示モードを管理し、入力部がそれら履歴表示モードの選択およびユーザ名の入力を受付け、この入力部で選択入力される履歴表示モードに基づき、制御部が履歴情報中から該当する対象に係る履歴情報を選択して選択履歴情報データを作成制御し、表示部が選択履歴情報データを表示するから、任意の履歴情報の表示を制限し、セキュリティを確保することが容易となる。
【００２１】
本発明において、履歴表示させる対象を履歴情報に係るユーザ名とした履歴表示モードを管理する構成では、装置を操作するユーザ又は特定のユーザ以外のユーザに係る履歴情報の表示を制限し、他のユーザの履歴情報に係るセキュリティを確保することが容易となる。
【００２２】
本発明において、個別のユーザ名の履歴表示モードを管理する構成では、個別のユーザ名の履歴表示モードを選択すれば、当該ユーザ名に係る選択履歴情報データのみを表示可能となり、同様のセキュリティ確保が容易である。
【００２３】
本発明において、個別のユーザ名および指定されたユーザ名の履歴表示モードを管理する構成では、個別のユーザ名および指定ユーザ名の履歴表示モードを選択すれば、当該ユーザ名に係る選択履歴情報データのみを表示可能となり、同様のセキュリティ確保が容易である。
【００２４】
本発明において、ユーザ名としてのグループ名の履歴表示モードを含めて管理する構成では、グループ名の履歴表示モードを選択すれば、当該グループ名に属するユーザ名に係る選択履歴情報データのみを表示可能となり、グループに属するユーザ履歴情報のセキュリティ確保が容易である。
【００２５】
本発明において、予め設定された認証データに基づき、そのユーザ名に係る認証を行って認証が確認されたとき選択履歴情報データを表示制御する構成では、ユーザ毎の認証を介して確実なセキュリティ確保が可能となる。
【発明を実施するための最良の形態】
【００２６】
以下、本発明の実施の形態を図面を参照して説明する。なお、履歴制御プログラムは、便宜上、画像形成装置を説明する過程で説明する。
【００２７】
図１は本発明に係る画像形成装置の実施の形態を示す概略ブロック図である。
【００２８】
図１において、本発明に係る画像形成装置は、バス１を介して接続された画像読取部３、通信部５、記憶部７、履歴管理部９、モード管理部１１、操作表示部１３、印刷部１５およびこれらを制御する制御部１７を有し、例えば複合機を構成している。
【００２９】
画像読取部３は、制御部１７の制御の下、例えば印刷された複数頁の原稿から画像を光学的に読み込み、フィルタ処理、変倍処理および階調処理等をして電子的画像データを印刷ジョブとして生成する公知のスキャナー等であり、生成した画像データが原稿の頁毎に記憶部７に順次記憶されるようになっている。
【００３０】
通信部５は、ネットワーク１９を介して例えば他の複合機２１との間で、画像データを含む文書データ等を所定のプロトコルでファクシミリ送受信するインターフェース部である。
【００３１】
記憶部７は、制御部１７の制御の下、画像読取部３から取込んだ画像データに加えて、後述する履歴情報、選択履歴情報データ、履歴表示モードデータ、ユーザ管理データおよび認証データを格納する機能する他、制御部１７の動作プログラムを格納する例えばハードディスク（ＨＤＤ）である。
【００３２】
履歴管理部９は、当該複合機の画像読取動作、印刷動作、ファクシミリ送受信動作、文書データの格納ボックスへの格納動作等の機能動作に応じた履歴情報を、使用するユーザ名に関連付けた履歴情報にして蓄積更新して管理するとともに、例えば記憶部７に記憶制御する機能を有している。
【００３３】
履歴情報としては、例えば図２Ａに示すように、機能動作順の受付番号「００１」〜「００４」、当該動作機能の実行日時「ｘｘ／ｘｘ／ｘｘ」、データの宛先「ＡＡ株式会社」、「ＢＢ株式会社」、「（株）ＤＤＤ」、操作したユーザのユーザ名「ａｂｃｄ」、「ＵｓｅｒＡ」、「ＵｓｅｒＢ」、ユーザが属するグループ名を「第１グループ（Ｇ）」、「第２グループ（Ｇ）」、「第３グループ（Ｇ）」等を全てテーブル状に一覧表にしたものであり、新たな機能動作が実行されると順に追加蓄積される。
【００３４】
モード管理部１１は、後述するように、制御部１７の制御の下、予め設定された複数の履歴表示モードに加えて、ユーザ毎のユーザ名やパスワードをユーザ管理データにして作成管理するものである。
【００３５】
履歴表示モードとしては、例えば、履歴情報において表示する対象としての個々のユーザ名に関連付けた履歴情報のみの履歴表示モードである「個別モード」、個々のユーザ名および指定した指定ユーザに関連付けた履歴情報のみの履歴表示モードである「指定モード」、グループ名に属するユーザに関連付けた履歴情報のみの履歴表示モードである「グループモード」がある。なお、全てのユーザを対象にした「全体モード」も当然ある。
【００３６】
すなわち、個別モードは、図２Ｂに示すように、選択されたユーザ名「ＵｓｅｒＡ」に関連付けた履歴情報のみからなる選択履歴表示モードである。
【００３７】
なお、履歴表示モード、ユーザ名およびパスワードは、操作表示部１３から入力設定される。
【００３８】
操作表示部１３は、制御部１７の制御の下、種々の操作画像の他、上述した履歴情報、後述する選択履歴情報データや履歴表示モード等を具体的に表示する例えば液晶ディスプレイであるとともに、印刷処理の実行指示、ファクシミリ送受信指示、選択履歴情報データの作成変更指示の入力を行うタッチ式パネル等である。
【００３９】
操作表示部１３は、上述した「個別モード」、「指定モード」、「グループモード」を表示したり、それらの選択やユーザ名の入力を受付けるもので、履歴表示モード、ユーザ名およびグループ名の入力部としても機能している。
【００４０】
印刷部１５は、制御部１７の制御の下、記憶部７に記憶された画像データや印刷ジョブから印刷画像イメージデータに展開してトナー現像処理し、印刷用紙にトナー現像を転写してトナー定着させる公知のカラー又はモノクロ印刷部である。
【００４１】
制御部１７は、上述した通信部５、記憶部７、履歴管理部９、モード管理部１１、操作表示部１３、印刷部１５を制御する主制御機能を有し、制御演算機能の主要部をなすＣＰＵやこのＣＰＵの動作プログラムを格納したＲＯＭを有して形成され、履歴管理部９およびモード管理部１１とともにその機能を実現している。
【００４２】
制御部１７は、この操作表示部１３で入力される履歴表示モードに基づき、履歴情報中から対象となる履歴情報を選択して選択履歴情報データを作成制御し、記憶部７に記憶制御するとともに、表示要求があったとき、その選択履歴情報データを操作表示部１３に出力するもので、選択履歴情報データ作成部（図１では単に作成部と略す。）として機能している。
【００４３】
すなわち、制御部１７は、履歴表示モードに基づき、例えば図２Ｂのようにユーザ「ＵｓｅｒＡ」に対応付けて選択された選択履歴情報データを作成制御する機能や、選択履歴情報データを操作表示部１３に出力する機能を有している。
【００４４】
制御部１７は、モード管理部１１のユーザ管理データを参照し、操作表示部１３からユーザ名やパスワードの入力を受けて一致するか否か判別する認証機能を有し、一致したときのみ、認証が確認されたものとして画像読取動作、印刷ジョブ受信動作、印刷動作、ファクシミリ送受信動作、選択履歴情報データの作成や出力動作を実行する認証部として機能している。
【００４５】
次に、本発明の画像形成装置の動作を図３および図４のフローチャートを参照して説明する。なお、図３は選択履歴情報データを作成する動作であり、図４は認証および表示の動作である。
【００４６】
プログラムが開始されると、ステップＳ１では蓄積された履歴情報を検索して次の履歴情報の有無が判別され、次の履歴情報があってステップＳ１が「次履歴あり」であればステップＳ２にて履歴表示モードが確認される。なお、初回は最初の履歴情報から判別される。
【００４７】
ステップＳ２では、予め選択された履歴表示モードが判別され、該当モードがなく「該当モードなし」であれば、ステップＳ１に戻る。
【００４８】
「個別モード」であればステップＳ２からステップＳ３に移り、該当する個別ユーザ名に係る履歴情報を当該選択履歴情報データに追加してステップＳ１に戻り、「指定モード」であればステップＳ４にて該当する個別ユーザ名および指定ユーザ名に係る履歴情報を当該選択履歴情報データに追加してステップＳ１に戻り、更に、「グループモード」であればステップＳ５にて該当するグループに属するユーザ名に係る履歴情報を表示リストに追加してステップＳ１に戻る。
【００４９】
他方、次の履歴情報がなくてステップＳ１が「履歴なし」であれば、図４中のステップＳ６に移る。
【００５０】
図４のステップＳ６では表示モードの確認がなされ、ユーザを指定しない「全体モード」と判別されると、ステップＳ７に移って全てのユーザ名の履歴情報表示処理がなされて終了する。
【００５１】
ステップＳ６で「個別モード」および「指定モード」と判別されると、ステップＳ８に移って表示設定確認が行われ、「個別モード（個別ユーザのみ許可）」と判別されると、ステップＳ９でユーザ認証が行われ、パスワードが一致して認証が確認されればステップＳ１０に移り、パスワードが不一致となって認証が確認されなければ終了する。
【００５２】
ステップＳ８で「指定モード（個別ユーザ、個別ユーザ指定のみ許可）」と判別されると、ステップＳ１１でユーザ認証が行われ、パスワードが一致して認証が確認されればステップＳ１０に移り、パスワードが不一致となって認証が確認されなければ終了する。
【００５３】
ステップＳ８で「グループモード（所属グループのみ許可）」と判別されると、ステップＳ１２で操作したユーザのユーザ認証が行われ、パスワードが一致して認証が確認されればステップＳ１０に移り、パスワードが不一致となって認証が確認されなければ終了する。
【００５４】
ステップＳ１０では、履歴表示指示をした個別ユーザ名に係る選択履歴情報データの表示処理、個別ユーザ名と指定ユーザ名に係る選択履歴情報データの表示処理がなされて終了する。
【００５５】
ステップＳ６で「グループモード」と判別されるとステップＳ１３に移ってグループに属するユーザ認証が行われ、パスワードが一致して認証が確認されれば、履歴表示指示をした個別ユーザ名が属するグループの選択履歴情報データの表示処理がステップＳ１４で行われて終了し、パスワードが不一致となって認証が確認されなければ終了する。
【００５６】
そして、このような処理が本発明に係る履歴制御プログラムとなる訳である。
【００５７】
このような本発明に係る画像形成装置では、履歴対象となるユーザ名に関連付けた履歴情報を当該装置の機能動作に従って蓄積管理する履歴管理部９と、履歴表示させるユーザ名が異なる複数の履歴表示モードを管理するモード管理部１１と、その履歴表示モードの選択およびユーザ名の入力を受付ける操作表示部（入力部）１３と、この選択入力された履歴表示モードに基づき履歴情報中から入力ユーザ名に該当する履歴情報を選択して選択履歴情報データを作成制御する制御部１７と、選択履歴情報データを表示するその操作表示部１３とを具備している。
【００５８】
そのため、個別のユーザ名の履歴表示モード、個別のユーザ名および指定されたユーザ名の履歴表示モード、そのユーザが所属するグループ名の履歴表示モードを予めモード管理部１１に設定しておけば、それらの履歴表示モードを操作表示部１３から選択入力するだけで、個別のユーザ名の選択履歴情報データ、個別のユーザ名と指定ユーザ名の選択履歴情報データ、又は選択したグループ名に属するユーザ名の履歴情報のみの表示が可能となる。
【００５９】
従って、表示モード以外のユーザに係る履歴情報が表示されないので、装置を操作するユーザ又は特定のユーザ以外のユーザ履歴情報が表示されるのを制限し、履歴情報の公表を特定のユーザに認めることが可能で、履歴情報の管理が容易である。
【００６０】
しかも、予め認証データを設定し、装置を使用操作したユーザのユーザ毎の認証が確認されたとき、表示部１３で該当する選択履歴情報データを表示するから、履歴情報の公表を特定のユーザに限って認めることが可能で、履歴情報の管理が容易でセキュリティも確保可能である。
【００６１】
ところで、本発明の画像形成装置において、履歴表示モードは上述した個別のユーザ名、個別ユーザ名と指定ユーザ名、および指定したグループ名のモードに限定されず、種々の表示ユーザ名の組合せが可能であり、予めモード管理部１１に表示モードを設定しておくとともに、それに合わせて制御部１７を形成すれば良い。
【００６２】
さらに、本発明の画像形成装置では、ユーザ名を履歴表示の選択対象とする構成に限定されず、履歴情報を形成する任意の履歴項目を選択対象として複数の履歴表示モードを設定管理する構成も可能であり、それに合わせてモード管理部１１および制御部１７等を形成すれば良い。
【００６３】
さらにまた、上述した画像形成装置では、操作表示部１３において履歴表示モードの選択および表示をさせる構成としたが、履歴表示モードの入力部と表示部を分ける構成も当然可能であり、その表示部は少なくとも選択履歴情報データを表示するものであれば良い。
【００６４】
そして、本発明に係る履歴制御プログラムに言及すれば、画像形成装置の機能動作に応じて履歴情報を制御する制御用コンピュータに、その履歴情報を使用ユーザに関連付けて蓄積管理する履歴管理処理と、履歴表示させる対象が異なる複数の前記履歴表示モードを管理するモード管理処理と、その履歴表示モードおよびユーザ名の入力を受ける入力処理と、この入力処理で入力された履歴表示モードに基づき履歴情報中から該当する対象に係る履歴情報を選択して選択履歴情報データを作成制御する履歴情報データ作成制御処理と、少なくとも選択履歴情報データを表示する表示処理とを実行させるものである。
【００６５】
このような履歴制御プログラムにおいて、モード管理処理が、個別のユーザ名の履歴表示モードを管理を実行する構成、個別のユーザ名および指定されたユーザ名の履歴表示モードの管理を実行する構成、更に、そのユーザ名としてのグループ名の履歴表示モードを含めた管理を実行する構成、更にまた、予め設定された認証データに基づき、ユーザに係る認証を実行して認証が確認されたとき選択履歴情報データの表示制御処理を実行する構成では、上述した画像形成装置と同様な効果を得ることが可能である。
【図面の簡単な説明】
【００６６】
【図１】本発明に係る画像形成装置の実施の形態を示す概略構成図である。
【図２】本発明に係る履歴情報および選択履歴情報データの例を示す図である。
【図３】本発明に係る画像形成装置の動作を説明するフローチャートである。
【図４】本発明に係る画像形成装置の動作を説明するフローチャートである。
【符号の説明】
【００６７】
１  バス
３  画像読取部
５  通信部
７  記憶部
９  履歴管理部
１１  モード管理部
１３  操作表示部（入力部）
１５  印刷部
１７  制御部（選択履歴情報データ作成部、認証部）
１９  ネットワーク
２１  複合機
【図１】
2008245189.tif 000003
【図２】
2008245189.tif 000004
【図３】
2008245189.tif 000005
【図４】
2008245189.tif 000006